(57)【要約】【課題】逃がし弁と排水弁とを一体化させて部品点数の削減を図る。【解決手段】二次圧側から逆流水が生じた場合には、一次圧導入室２４と二次圧導入室２８との間の差圧に基づいてダイアフラム式の排水弁２６がポート２７を開放して逆流水をドレン室２９を通して外部に排水する。排水弁２６の弁軸部３６には逃がし弁３８が収容されている。一次圧導入室２４内の圧力が所定圧を上回ると、逃がし弁３８が逃がし口３９を開放するため、一次圧側から弁軸部３６内の過圧逃がし路４５内へ流体が流入し、貫通孔４２からドレン室２９内へ流出する。かくして、一次圧側に生じた過剰圧は逃がし弁３８によってドレン室２９を介して外部へ解放されるため、一次圧側に接続された貯湯タンク１が保護される。【選択図】図３
2012097787.tif 000002
【特許請求の範囲】
【請求項１】
給湯回路中に接続されるケーシングを有する過圧逃がし弁付き排水弁であって、
一次圧が導入される一次圧導入室と、
二次圧が導入される二次圧導入室と、
外部に開放するドレン室と、
このドレン室と前記二次圧導入室とを連通させるポートと、
前記二次圧導入室及び前記ドレン室と前記一次圧導入室とを区画するとともに、
常には前記ポートを閉止する状態にあるが前記二次圧側の圧力が設定圧を上回ったときに前記二次圧導入室側と前記一次圧導入室側との差圧に基づいて前記ポートを開放するダイアフラム式の排水弁と、
前記一次圧導入室と前記ドレン室あるいは前記二次圧導入室との間を連通させる過圧逃がし路に設けられ前記一次圧側の圧力が設定圧を上回ったときに前記過圧逃がし路を開放して前記一次圧導入室内の流体を前記ドレン室あるいは前記二次圧側へ逃がす逃がし弁とを、前記ケーシング内に組み込んでなることを特徴とする過圧逃がし弁付き排水弁。
【請求項２】
前記排水弁は弁軸部を有しかつこの弁軸部内に前記過圧逃がし路が形成されていることを特徴とする請求項１に記載の過圧逃がし弁付き排水弁。
【請求項３】
前記排水弁を挟んで前記一次圧導入室と反対側には、その先端に前記ポートが開口する筒部が設けられるとともに、この筒部の内側には前記ドレン室が配され、前記筒部の外側には前記二次圧導入室が配され、前記弁軸部は前記筒部の内側にほぼ同心で収容されかつ前記過圧逃がし路の下流側は前記ドレン室内に開放していることを特徴とする請求項１又は請求項２に記載の過圧逃がし弁付き排水弁。
【請求項４】
前記排水弁を挟んで前記一次圧導入室と反対側には、その先端に前記ポートが開口する筒部が設けられるとともに、この筒部の内側には前記二次圧導入室が配され、前記筒部の外側には前記ドレン室が配され、前記弁軸部は前記筒部の内側にほぼ同心で収容されかつ前記過圧逃がし路の下流側は前記二次圧導入室内に開放していることを特徴とする請求項１又は請求項２に記載の過圧逃がし弁付き排水弁。
【請求項５】
前記ケーシングの外側面にはバルブ収容部が付設され、かつこのバルブ収容部内には前記過圧逃がし路の一部と前記逃がし弁とが設けられていることを特徴とする請求項１に記載の過圧逃がし弁付き排水弁。
【発明の詳細な説明】
【技術分野】
【０００１】
本発明は、過圧逃がし弁付き排水弁に関するものである。
【背景技術】
【０００２】
従来より、ヒートポンプ式給湯器といった貯湯タンクを有する形式の給湯器では、貯湯タンクに過剰な圧力が生じた場合の対策として過圧逃がし機能を備えたものが知られている。その一例として、下記特許文献１を挙げることができる。ここに開示された貯湯式給湯器は、給水配管の途中に配された貯湯タンクと、貯湯タンク内の水を加熱する加熱手段と、加熱手段により沸かされた膨張水を貯湯タンク外へ排出する逃がし弁とを備えている。さらに、ここには逃がし弁等が故障をして貯湯タンク内に所定圧を上回る異常圧が発生したときに貯湯タンク内の水をタンク外に排水する保護弁も備えられている。
【先行技術文献】
【特許文献】
【０００３】
【特許文献１】特開２０１０−１５１２１２号公報
【発明の概要】
【発明が解決しようとする課題】
【０００４】
しかしながら、上記のものでは、タンクの保護弁を専用部品として給湯システム中に組み込んでいるため、その分だけ部品点数が増加してしまう、という問題点があった。
【０００５】
本発明は上記のような事情に基づいて完成されたものであって、その目的は部品点数を減らして給湯システム全体の構成の簡素化に寄与する過圧逃がし弁付き排水弁を提供することである。
【課題を解決するための手段】
【０００６】
＜請求項１の発明＞
上記の目的を達成するための手段として、請求項１の発明は、給湯回路中に接続されるケーシングを有する過圧逃がし弁付き排水弁であって、一次圧が導入される一次圧導入室と、二次圧が導入される二次圧導入室と、外部に開放するドレン室と、このドレン室と二次圧導入室とを連通させるポートと、二次圧導入室及びドレン室と一次圧導入室とを区画するとともに、常にはポートを閉止する状態にあるが二次圧側の圧力が設定圧を上回ったときに二次圧導入室側と一次圧導入室側との差圧に基づいてポートを開放するダイアフラム式の排水弁と、一次圧導入室とドレン室あるいは二次圧導入室との間を連通させる過圧逃がし路に設けられ一次圧側の圧力が設定圧を上回ったときに過圧逃がし路を開放して一次圧導入室内の流体をドレン室あるいは二次圧側へ逃がす逃がし弁とを、ケーシング内に組み込んでなることを特徴としている。
【０００７】
＜請求項２の発明＞
請求項２の発明は、請求項１に記載のものにおいて、排水弁は弁軸部を有しかつこの弁軸部内に過圧逃がし路が形成されていることを特徴としている。
【０００８】
＜請求項３の発明＞
請求項３の発明は、請求項１又は請求項２に記載のものにおいて、排水弁を挟んで一次圧導入室と反対側には、その先端にポートが開口する筒部が設けられるとともに、この筒部の内側にはドレン室が配され、筒部の外側には二次圧導入室が配され、弁軸部は筒部の内側にほぼ同心で収容されかつ過圧逃がし路の下流側はドレン室内に開放していることを特徴としている。
【０００９】
＜請求項４の発明＞
請求項４の発明は、請求項１又は請求項２に記載のものにおいて、排水弁を挟んで一次圧導入室と反対側には、その先端にポートが開口する筒部が設けられるとともに、この筒部の内側には二次圧導入室が配され、筒部の外側にはドレン室が配され、弁軸部は筒部の内側にほぼ同心で収容されかつ過圧逃がし路の下流側は二次圧導入室内に開放していることを特徴としている。
【００１０】
＜請求項５の発明＞
請求項５の発明は、請求項１に記載のものにおいて、ケーシングの外側面にはバルブ収容部が付設され、かつこのバルブ収容部内には過圧逃がし路の一部と逃がし弁とが設けられていることを特徴としている。
【発明の効果】
【００１１】
＜請求項１の発明＞
請求項１の発明によれば、何らかの原因で二次圧側からの逆流が生じても、一次圧側とは排水弁によって遮断されているため、汚水が一次圧側へ侵入してしまうことはない。上記の場合、二次圧導入室内の圧力が設定圧を上回ると、一次圧側との差圧に基づいて排水弁がポートを開放するため、二次圧側の汚水はポートを通してドレン室内へ流れ込み、外部へと排水される。
【００１２】
一方、例えば一次圧側に貯湯タンクが接続されている場合に、貯湯タンクにおいて一次圧が過度に上昇することがある。この上昇圧が設定圧を上回るような場合には逃がし弁が過圧逃がし路を開放して一次圧側の流体をドレン室あるいは二次圧側へと流出させて、一次圧側を過圧状態から解放する。これによって、貯湯タンクを保護することができる。
【００１３】
また、請求項１によれば、このような過圧逃がし弁を既存の排水弁とともにケーシング内に一体に組み込んでいるため、従来のような過圧逃がし弁を専用部品として給湯回路中に接続していた場合に比較して、部品点数を削減することができる。
【００１４】
＜請求項２の発明＞
請求項２の発明によれば、排水弁中に過圧逃がし弁を組み込むようにしたため、設置効率をより一層高めることができる。
【００１５】
＜請求項３及び請求項４の発明＞
請求項３および請求項４の発明によれば、逃がし弁を組み込んだ弁軸部を筒部内にほぼ同心で組み込んだため、つまり逃がし弁をポートの中心軸に沿って配置したため、排水弁の動作の円滑さに寄与する。
【００１６】
＜請求項５の発明＞
請求項５の発明によれば、ケーシングの外面にバルブ収容部を付設して、その内部に逃がし弁の収容空間を確保するようにしている。したがって、排水弁内に逃がし弁を組み込むためのスペースが充分に確保されないような場合に、このような構成は有効である。
【図面の簡単な説明】
【００１７】
【図１】給湯システム全体を示す回路図
【図２】注湯弁ユニットの断面図
【図３】実施形態１に係る過圧逃がし弁付き排水弁の側断面図
【図４】実施形態２に係る過圧逃がし弁付き排水弁の側断面図
【図５】実施形態３に係る過圧逃がし弁付き排水弁の側断面図
【図６】同じく本体部の平面図
【図７】実施形態４に係る過圧逃がし弁付き排水弁の側断面図
【発明を実施するための形態】
【００１８】
＜実施形態１＞
図１は本実施形態における給湯システムの全体を示している。図中、１は貯湯タンクであり、給水源に対しては給水配管２を介して接続され、その途中には減圧弁３が介在されている。貯湯タンク１は配管を介して図示しない加熱手段（ヒートポンプユニット）に接続されるとともに、給湯路４を介して浴槽５と接続されている。また、給湯路４の途中には注湯弁ユニットＴが接続されている。
【００１９】
この注湯弁ユニットＴは、電磁弁ユニット６、逆止弁ユニット７及び過圧逃がし弁付き排水弁ユニット（以下、単に排水弁ユニット８と言う）の計３つのサブユニットを合体させて全体をユニット化したものである。
【００２０】
図２に示すように、電磁弁ユニット６の第１ケーシング９の側面には貯湯タンク１に通じる一次圧導管１０の一端側が接続されており、この一次圧導管１０の内部には一次圧通路１０Ａが形成されている。第１ケーシング９内には両端が開放する円筒壁１１が同心で形成され、その先端縁には弁座１２が形成され、電磁弁１４の弁体１３によって開閉可能となっている。円筒壁１１は弁座１２が電磁弁１４によって閉止されることに伴って第１ケーシング９内の空間を内外に区画するようにしている。このうち、円筒壁１１の外側に区画された空間は一次圧導管１０の一次圧通路１０Ａと連通し、内側に区画された空間は次述する逆止弁ユニット７の第２ケーシング１６内へと通じている。
【００２１】
電磁弁ユニット６の第１ケーシング９のうち電磁弁１４のコイル１５が設けられる側と反対側の端部には逆止弁ユニット７の第２ケーシング１６の一端側が同軸で接続されている。第２ケーシング１６の他端側は浴槽５側へと通じており、第２ケーシング１６内の通路は二次圧通路１６Ａとなっている。第２ケーシング１６と第１ケーシング９との間には上流側逆止弁１７が介在されている。また、第２ケーシング１６において上流側逆止弁１７が配された側と反対側の端部寄りには下流側逆止弁１８が組み込まれており、これら二つの逆止弁１７，１８によって電磁弁１４側への逆流水の進入が規制されている。さらに、第２ケーシング１６内であって下流側逆止弁１８の近傍の上流側には流量計１９が組み込まれている。
【００２２】
排水弁ユニット８は一次圧側と二次圧側とに跨って接続されている。具体的には、一次圧側に対しては一次圧導管１０の途中の部位に接続され、二次圧側に対しては流量計１９と上流側逆止弁１７との間の部位に接続されている。以下、図３によって排水弁ユニット８の構成を説明する。
【００２３】
排水弁ユニット８は第３ケーシング２０を有しており、この第３ケーシング２０は本体部２１に蓋体２２を装着した構成となっている。蓋体２２には一次側接続部２２Ａが側方へ突出して形成され、その先端は一次圧導管１０の側面に形成された取付部１０Ｂとシール状態で突き合わされ、ねじ締めによって固定がされている。一次側接続部２２Ａと取付部１０Ｂとには相互に同軸で連通する一次圧連絡路２３が形成されている。この一次圧連絡路２３の一端は一次圧通路１０Ａへと通じ、他端は第３ケーシング２０内の一次圧導入室２４へと通じている。
【００２４】
本体部２１内には筒部２５が同軸で立設され、かつこの筒部２５は軸方向の双方向に貫通する円筒状に形成されている。筒部２５の先端側周縁は排水弁２６によって開閉するポート２７が形成されている。第３ケーシング２０内は排水弁２６を境にして一次圧導入室２４と、二次圧導入室２８及びドレン室２９とに区画されている。このうち、一次圧導入室２４は主として蓋体２２の内部に形成され、既述した通り、一次圧連絡路２３を介して一次圧通路１０Ａに連通している。
【００２５】
一方、筒部２５の内部はドレン室２９へと通じている。すなわち、本体部２１にはドレン管３０が形成されている。すなわち、ドレン管３０は筒部２５からその立設方向と反対側へ突出した後、一次側接続部２２Ａの突出方向と反対側へほぼ直角に屈曲して形成されている。ドレン管３０の内部に形成されたドレン室２９はその先端側において外部に開放されている。
【００２６】
二次圧導入室２８は筒部２５の外周側に配されたリング状の空間であり、二次圧通路１６Ａに連通している。すなわち、本体部２１の側面であって図２に示す平面視で一次側接続部２２Ａとほぼ直交する位置には二次側接続部３１が突出して形成され、第２ケーシングにおける上流側逆止弁１７と流量計１９の間の部位に接続されている。
【００２７】
排水弁２６は同排水弁２６に作用する一次圧側と二次圧側（詳しくは、二次圧に後述するばね３４のばね力が加わる）との差圧によってポート２７の開閉を行なう機能を有し、常には一次圧の作用によってポート２７を閉じた状態に保持しているが、二次圧導入室２８内の圧力が設定圧を上回った時にはポート２７を開放して二次圧をドレン室２９を通して外部に解放する役割を果たす。
【００２８】
上記排水弁２６は可撓性をもったゴム製ダイアフラム３２を有している。ダイアフラム３２は略円形状に形成された基板３２Ａを有するとともに、基板３２Ａの外周縁には薄肉の弛み部３２Ｂが形成され、さらにその外周には厚肉の装着部３２Ｃが全周に亘って形成されている。ダイアフラム３２全体は装着部３２Ｃが蓋体２２と本体部２１との間で挟持されることによって、本体部２１内を軸芯に沿って変位可能な状態で取り付けられている。ダイアフラム３２の一面側（筒部２５が配置されている側：二次圧側）には略リング状に形成された合成樹脂製のばね受け３３が配されている。ばね受け３３はダイアフラム３２における基板３２Ａから弛み部３２Ｂに亘る部位を支持することができるよう断面略Ｌ字状に形成されている。また、ばね受け３３と筒部２５の付け根部との間にはばね３４が介在され、このばね３４は排水弁２６を持上げる方向、つまりポート２７を開放する方向に作用している。
【００２９】
ダイアフラム３２の他面側（蓋体２２と対向する側であり、一次圧側）には合成樹脂製のダイアフラムプレート３５が装着されている。ダイアフラムプレート３５は略円形状に形成されてダイアフラム３２の対向面と密着し、その外周縁は弛み部３２Ｂとの干渉を避けるようにして全周に亘って起立壁３５Ａが形成されている。ダイアフラムプレート３５の中心部には軸芯に沿って弁軸部３６が延出形成されている。弁軸部３６はダイアフラム３２の中心部を貫通して筒部２５内へ同軸で挿入されている。弁軸部３６の側面の途中高さ位置には抜け止め爪３７が突出形成され、抜け止め爪３７がダイアフラム３２の基板３２Ａに係止することで、ダイアフラム３２とダイアフラムプレート３５との組み付けがなされている。
【００３０】
弁軸部３６の一端部には逃がし口３９が軸芯に沿って貫通しており、一次圧導入室２４と弁軸部３６の内部に形成された過圧逃がし路４５とを連通可能としている。弁軸部３６の内部には逃がし口３９を開閉するための逃がし弁３８が軸方向に沿って変位可能に収容されている。弁軸部３６において逃がし口３９が形成された側と反対側の端部には閉止部材４０が装着されている。この閉止部材４０と逃がし弁３８に装着されたばね受け部材４１との間にはコイルスプリング４４が介在されていて、常には逃がし口３９が閉鎖されるよう、逃がし弁３８を付勢しているが、一次圧側が設定圧（コイルスプリング４４のばね力）を上回ると逃がし弁３８が逃がし口３９を開放するように設定されている。
【００３１】
なお、ばね受け部材４１の外周面には適当間隔毎に複数の切欠き溝が配され、それぞれは軸方向に沿って切欠き形成されている。このことによって、弁軸部３６の内壁との間に形成される複数の通路は前記した過圧逃がし路４５の一部を構成する。また、弁軸部３６の側面の適当高さ位置には適当角度間隔毎に複数の貫通孔４４が形成され、過圧逃がし路４５とドレン室２９とを連通させている。
【００３２】
次に、上記のように構成された本実施形態の作用効果を具体的に説明する。浴槽５への給湯を行なう場合には、電磁弁１４のコイル１５への通電がなされて電磁弁１４が吸引されると、弁座１２が開放する。これによって、貯湯タンク１内の湯が一次圧通路１０Ａを通過した後、円筒壁１１内へ流れ込む。その後、上流側逆止弁１７を経て二次圧通路１６Ａへと流れ、さらに流量計１９及び下流側逆止弁１８を経て、給湯路４を通って浴槽５へと給湯される。
【００３３】
通常時は、二つの逆止弁１７，１８によって浴槽５側の湯が一次圧側へ逆流する事態は確実に回避されている。この逆流防止の機能は、万一、下流側逆止弁１８に異物が噛み込んだ場合にも保持される。すなわち、下流側逆止弁１８を通過した逆流水（湯）は二次圧通路１６Ａを経て排水弁ユニット８内の二次圧導入室２８中に流れ込む。その結果、二次圧導入室２８内の圧力が所定圧以上に高められると、排水弁２６の一次圧側及び二次圧側で作用する圧力差によって排水弁２６が持ち上げられ、ポート２７が開放される。すると、逆流水はポート２７から筒部２５内のドレン２９室へ流入した後、外部へと排水される。かくして、逆流水が一次側へ至る事態は確実に回避される。
【００３４】
ところで、図示しない加熱手段によって沸き上げられた膨張水により貯湯タンク１内の圧力が所定圧以上に達することがある。そのようなタンク１内の過剰な圧力は一次圧通路１０Ａ、一次圧連絡路２３を介して排水弁ユニット８内の一次圧導入室内２４に作用する。すると、逃がし弁３８がコイルスプリング４４のばね力に抗して押し下げられるため、逃がし弁３８が逃がし口３９を開放する。その結果、一次圧側の湯は逃がし口３９を通って弁軸部３６内の過圧逃がし路４５へと流入する。そして、弁軸部３６内に形成された過圧逃がし路４５を通過し、貫通孔４２を経てドレン室２９内へ流入し、最終的に外部へと排水される。かくして、貯湯タンク１内に生じた過剰な一次圧はドレン管３０を介して外部へと解放される結果、貯湯タンク１の保護が達成される。
【００３５】
ところで、本実施形態１では排水弁２６中に逃がし弁３８を組み込むようにしたため、従来のようにこれらを給湯回路において別個に設けるようにした場合に比較して、部品点数の削減により接続作業の容易化とコストの低減を図ることができる。もっとも、本実施形態を採用しつつも従来と同様の専用の逃がし弁を設置することを妨げるものではない。
【００３６】
実施形態１のさらなる効果として、排水弁ユニット８を電磁弁ユニット６、逆止弁ユニット７といった他のユニットと合体させ、全体を注湯弁ユニットＴとして一部品化するようにしたため、一層の部品点数の削減が達成されている点を挙げることができる。
【００３７】
また、逃がし弁３８を排水弁２６中に組み込んでいるため、バルブ内部の設置効率を高めることができる、という効果も得られる。さらに、逃がし弁３８を排水弁２６の中心軸に沿って組み込んでいるため、排水弁２６の開閉動作を円滑に行わせることができる。
【００３８】
＜実施形態２＞
図４は本発明の実施形態２を示すものである。実施形態１では一次圧側の過剰圧をドレン管３０を介して外気に解放するようにしたが、実施形態２では二次圧側へ解放するようにした点で相違している。
【００３９】
本実施形態において、排水弁ユニット８の本体部２１内には実施形態１と同様、筒部２５が立設されているが、実施形態１とは逆に、排水弁５０がポート２７を閉じている状態では筒部２５の外側がドレン室２９であり、内側が二次圧導入室２８となって二次圧通路１６Ａへと通じている。
【００４０】
本実施形態における排水弁５０はダイアフラム３２の下面側に樹脂製のスペーサ部材５１が配されている。スペーサ部材５１はダイアフラム３２の基板３２Ａの下面に密着する略円板状に形成され、弁軸部５２に対し同心で遊挿されている。スペーサ部材５１の周縁は全周に亘って起立し、先端部はダイアフラム３２の弛み部３２Ｂに差し込まれている。このスペーサ部材５１の下面側にはポート２７の外径より大径に形成されたゴム製の弁板５３が配されている。弁板５３はダイアフラム３２の基板３２Ａと共にスペーサ部材５１を挟んでおり、ポート２７に対する開閉を行なう。弁板５３もスペーサ部材５１と同様、弁軸部５２に対して同心で遊挿されており、その下面側にはばね受け５４が配されている。
【００４１】
ばね受け５４は樹脂製であり、弁軸部５２に対して同軸で嵌め込まれている。ばね受け５４は円筒状をなす基部５４Ａを有し、その途中には外周面からフランジ５４Ｂが内外両方向へ張り出し形成されている。ばね受け５４においてフランジ５４Ｂを境としてその一端側は弁軸部５２とスペーサ部材５１及び弁板５３との間に挿入され、その先端面はダイアフラム３２の下面に突き当てられている。ばね受け５４の他端側は本体部２１内の底面近傍にまで至る長さを有しており、その外側にはばね５５が嵌着されている。ばね５５は本体部２１の底面とフランジ５４Ｂとの間に介在されていて、排水弁５０に対しポート２７を開放する方向へ付勢している。
【００４２】
他の構成は実施形態１と同様であるため、図中に同一符号を付すことにより説明は省略する。
【００４３】
上記のように構成された実施形態２においても、二次側から逆流水が生じた場合には、逆流水が筒部２５の内側に形成された二次圧導入室２８内に導入される。すると、排水弁５０に作用する一次圧側と二次圧側との差圧に基づいて排水弁５０が上昇してポート２７を開放するため、逆流水はドレン管３０を経て外部に排水される。
【００４４】
また、貯湯タンク１内に過剰圧が発生して一次圧導入室内２４の圧力が設定圧を上回る事態が生じると、逃がし弁３８が押し下げられて逃がし口３９を開放する。これにより、一次圧導入室２４内の湯が逃がし口３９を介して弁軸部５２内に流入し、過圧逃がし路４５を通過し、さらに貫通口４２を経て二次圧導入室２８内に流入した後、二次圧通路１６Ａへと至る。かくして、貯湯タンク１内に生じた過剰圧は逃がし弁３８を介して二次圧側へと逃がされるため、貯湯タンク１の保護が達成される。
他の作用効果は実施形態１と同様であるため、説明は省略する。
【００４５】
＜実施形態３＞
図５及び図６は本発明の実施形態３を示すものである。実施形態１及び２は排水弁２６，５０の弁軸部３６，５２内に逃がし弁３８を組み込んだ例を示したが、実施形態３においては本体部２１の外側面において本体部２１の中心軸線に沿う向きでバルブ収容部６２を付設し、その内部に逃がし弁６１を組み込むようにしたものである。
【００４６】
本実施形態における排水弁６０は逃がし弁が組み込まれていない点を除けば、実施形態２とほぼ同様の構成である。また、筒部２５の内側の空間は二次圧導入室２８であり、外側の空間はドレン室２９となって、ドレン管３０の内部へと通じている。
【００４７】
また、蓋体２２には一次圧通路２３が一次圧導入室２４へと通じる部分を越えてバルブ収容部６２へ向けて延長路６４が形成され、この延長路６４はさらにバルブ収容部６２内に形成された過圧逃がし路４５へと通じている。バルブ収容部６２は、本体部２１の外側面であってドレン管３０の付け根部分に一体に形成され、ドレン管３０の軸線と直交する方向に延出している。バルブ収容部６２内には実施形態１，２と基本的に同一構成に係る逃がし弁６１が収容されている。また、バルブ収容部６２の側面に形成された貫通孔６５はドレン管３０の内部に開口している。
【００４８】
上記のように構成された実施形態３においても、一次圧側が過剰な圧力となった場合には、過剰な圧力が一次圧通路２３の延長路６４を通して逃がし弁６１に作用する。すると、逃がし弁６１が押されて逃がし口３９を開放するため、一次側の過剰圧は逃がし弁６１によってドレン管３０へと抜け、外部に解放される。かくして、貯湯タンク１の保護がなされる。
【００４９】
また、本実施形態３では逃がし弁６１を組み込むスペースを本体部２１の外側に付加してバルブ収容部６２として確保するようにしたため、本体部２１内の狭隘なスペース、とりわけ実施形態１，２のように排水弁２６，５０の弁軸部３６，５２という非常に狭いスペース内に組み込む困難さを回避することができる。
【００５０】
他の構成は、実施形態１、２と同様であり、もって同様の作用効果を発揮することができる。
【００５１】
＜実施形態４＞
図７は本発明の実施形態４を示すものである。本実施形態における逃がし弁７０は、第３ケーシング２０の蓋体２２に形成されたバルブ収容部７１中に組み込まれている。バルブ収容部７１は蓋体２２の外側面から径方向外方へ向けて水平に突出し、ドレン管３０とは平面視においてほぼ直交する位置に設けられている。
【００５２】
本実施形態の排水弁は実施形態３と同様の構成であり、筒部２５の内側の空間が二次圧導入室２８であり、外側の空間がドレン室２９となって、ドレン管３０の内部へと通じる点も実施形態３と同様である。実施形態３と相違する点としては、本体部２１の外側面であってバルブ収容部７１の下部には中継部７２が一体に張り出し形成されていて、バルブ収容部７１内の過圧逃がし路４５とドレン室２８とを連通させる中継通路７３が形成されている点がさらに挙げられる。この中継部７２はバルブ収容部７１とはシールされた状態で連結がされている。
他の構成は、実施形態３と同様であり、同様の作用効果を発揮することができる。
【００５３】
＜他の実施形態＞
本発明は上記記述及び図面によって説明した実施形態に限定されるものではなく、例えば次のような実施態様も本発明の技術的範囲に含まれる。
（１）いずれの実施形態においても過圧弁付き排水弁を注湯弁ユニット中に一体に組み込んだ場合を示したが、単独で構成するようにしてもよい。
【００５４】
（２）いずれの実施形態においても、過圧逃がし弁付き排水弁を給湯回路に組み込んだ場合を例示したが、適用回路は特に限定されるべきものではない。
【符号の説明】
【００５５】
１…貯湯タンク
８…排水弁ユニット
２１…本体部
２４…一次圧導入室
２６，５０，６０…排水弁
２７…ポート
２８…二次圧導入室
２９…ドレン室
３６，５２…弁軸部
３８，６１，７０…逃がし弁
３９…逃がし口
４５…過圧逃がし路
６２，７１…バルブ収容部
【図１】
2012097787.tif 000003
【図２】
2012097787.tif 000004
【図３】
2012097787.tif 000005
【図４】
2012097787.tif 000006
【図５】
2012097787.tif 000007
【図６】
2012097787.tif 000008
【図７】
2012097787.tif 000009